(57)【特許請求の範囲】
【請求項１】
レンズ鏡筒と、
前記レンズ鏡筒の背面側に設けられる撮像素子と、
電池を収納することができる電池収納部と、
前記電池収納部の正面側に設けられる配線基板と、
前記撮像素子および前記電池収納部の背面側に設けられる表示デバイスと、
コネクタを介して前記配線基板と電気的に接続され、前記撮像素子の出力を前記配線基板に伝送するフレキシブルプリント基板と、を備え、
前記電池収納部は、前記レンズ鏡筒の径方向の一方の側に隣接して配置されており、
前記フレキシブルプリント基板は、前記レンズ鏡筒と前記表示デバイスとの間にある第１の隙間および前記レンズ鏡筒と前記電池収納部との間にある第２の隙間を通って、配線されており、
前記フレキシブルプリント基板を前記配線基板に接続した際に、前記フレキシブルプリント基板の撓み部分が収容される空間が前記レンズ鏡筒と前記電池収納部との間に形成されるように、前記レンズ鏡筒には、前記電池収納部に隣接する部分であって、かつ前記フレキシブルプリント基板が屈曲する部分の近傍となる部分に切欠き部が形成されており、 前記電池収納部には、前記第１の隙間と前記空間との間を遮るように、前記切欠き部に向かって規制部材が突出形成されていることを特徴とする撮像装置。
【請求項２】
レンズ鏡筒と、
前記レンズ鏡筒の背面側に設けられる撮像素子と、
電池を収納することができる電池収納部と、
前記電池収納部の正面側に設けられる配線基板と、
前記撮像素子および前記電池収納部の背面側に設けられる表示デバイスと、
コネクタを介して前記配線基板と電気的に接続され、前記撮像素子の出力を前記配線基板に伝送するフレキシブルプリント基板と、を備え、
前記電池収納部は、前記レンズ鏡筒の径方向の一方の側に隣接して配置されており、
前記フレキシブルプリント基板は、前記レンズ鏡筒と前記表示デバイスとの間にある第１の隙間および前記レンズ鏡筒と前記電池収納部との間にある第２の隙間を通って、配線されており、
前記フレキシブルプリント基板を前記配線基板に接続した際に、前記フレキシブルプリント基板の撓み部分が収容される空間が前記レンズ鏡筒と前記電池収納部との間に形成されるように、前記電池収納部には、前記レンズ鏡筒に隣接する部分であって、かつ前記フレキシブルプリント基板が屈曲する部分の近傍となる部分に切欠き部が形成されており、 前記電池収納部には、前記第１の隙間と前記空間との間を遮るように、前記レンズ鏡筒に向かって規制部材が突出形成されていることを特徴とする撮像装置。
【発明の詳細な説明】
【技術分野】
【０００１】
本発明は、レンズ鏡筒にＣＣＤセンサ等の撮像素子が搭載されたデジタルカメラ等の撮像装置に関する。
【背景技術】
【０００２】
デジタルカメラ等の撮像装置では、電子部品間の接続にフレキシブルプリント基板を用いるものが多い（特許文献１）。図１１は、デジタルカメラにおいて、撮像素子とプリント基板とをフレキシブルプリント基板で接続した例を示す要部断面図である。
【０００３】
図１１に示すデジタルカメラは、レンズ鏡筒２２００の背面側にＣＣＤセンサ等の撮像素子２０４が設けられており、撮像素子２０４には、レンズ鏡筒２２００のレンズ群を通過した被写体光が結像する。レンズ鏡筒２２００の径方向の一側には、電池５０２を出し入れ自在に収納する電池収納部５００がレンズ鏡筒２２００に隣接して設けられ、電池収納部５００及びレンズ鏡筒２２００の背面側には、液晶表示デバイス３０２が設けられている。また、電池収納部５００の正面側（被写体側）には、プリント基板１００が設けられ、プリント基板１００のレンズ鏡筒２２００側の端部には、コネクタ１０４が取り付けられている。
【０００４】
そして、撮像素子２０４から延出したフレキシブルプリント基板２０１は、レンズ鏡筒２２００と液晶表示デバイス３０２との間を通った後、レンズ鏡筒２２００と電池収納部５００との間を通って、その延出端がプリント基板１００の正面側に対向配置される。フレキシブルプリント基板２０１の延出端にはコネクタ１０３が設けられており、コネクタ１０３をプリント基板１００側のコネクタ１０４に挿入することで、撮像素子２０４とプリント基板１００とがフレキシブルプリント基板２０１を介して電気的に接続される。
【先行技術文献】
【特許文献】
【０００５】
【特許文献１】特開平８−１４６５０１号公報
【発明の概要】
【発明が解決しようとする課題】
【０００６】
ところで、フレキシブルプリント基板２０１は、コネクタ１０３をプリント基板１００側のコネクタ１０４へ挿入する際のストローク分、長めにする必要がある。このため、図１２に示すように、コネクタ１０３をコネクタ１０４に接続した状態では、フレキシブルプリント基板２０１に対して長さの余剰部分に起因する引張力、あるいは圧縮力が作用し、液晶表示デバイス３０２に押圧力が負荷されるおそれがある。液晶表示デバイス３０２に押圧力が負荷されると、表示画面にモアレが発生する不具合が生じる。
【０００７】
そこで、本発明は、フレキシブルプリント基板により表示部が押圧されるのを回避して、表示デバイスの表示画面にモアレが発生するのを防止することができる撮像装置を提供することを目的とする。
【課題を解決するための手段】
【０００８】
上記目的を達成するために、本発明の撮像装置は、レンズ鏡筒と、前記レンズ鏡筒の背面側に設けられる撮像素子と、電池を収納することができる電池収納部と、前記電池収納部の正面側に設けられる配線基板と、前記撮像素子および前記電池収納部の背面側に設けられる表示デバイスと、コネクタを介して前記配線基板と電気的に接続され、前記撮像素子の出力を前記配線基板に伝送するフレキシブルプリント基板と、を備え、前記電池収納部は、前記レンズ鏡筒の径方向の一方の側に隣接して配置されており、前記フレキシブルプリント基板は、前記レンズ鏡筒と前記表示デバイスとの間にある第１の隙間および前記レンズ鏡筒と前記電池収納部との間にある第２の隙間を通って、配線されており、前記フレキシブルプリント基板を前記配線基板に接続した際に、前記フレキシブルプリント基板の撓み部分が収容される空間が前記レンズ鏡筒と前記電池収納部との間に形成されるように、前記レンズ鏡筒には、前記電池収納部に隣接する部分であって、かつ前記フレキシブルプリント基板が屈曲する部分の近傍となる部分に切欠き部が形成されており、前記電池収納部には、前記第１の隙間と前記空間との間を遮るように、前記切欠き部に向かって規制部材が突出形成されていることを特徴とする。
また、本発明の撮像装置は、レンズ鏡筒と、前記レンズ鏡筒の背面側に設けられる撮像素子と、電池を収納することができる電池収納部と、前記電池収納部の正面側に設けられる配線基板と、前記撮像素子および前記電池収納部の背面側に設けられる表示デバイスと、コネクタを介して前記配線基板と電気的に接続され、前記撮像素子の出力を前記配線基板に伝送するフレキシブルプリント基板と、を備え、前記電池収納部は、前記レンズ鏡筒の径方向の一方の側に隣接して配置されており、前記フレキシブルプリント基板は、前記レンズ鏡筒と前記表示デバイスとの間にある第１の隙間および前記レンズ鏡筒と前記電池収納部との間にある第２の隙間を通って、配線されており、前記フレキシブルプリント基板を前記配線基板に接続した際に、前記フレキシブルプリント基板の撓み部分が収容される空間が前記レンズ鏡筒と前記電池収納部との間に形成されるように、前記電池収納部には、前記レンズ鏡筒に隣接する部分であって、かつ前記フレキシブルプリント基板が屈曲する部分の近傍となる部分に切欠き部が形成されており、前記電池収納部には、前記第１の隙間と前記空間との間を遮るように、前記レンズ鏡筒に向かって規制部材が突出形成されていることを特徴とする。
【発明の効果】
【０００９】
本発明によれば、フレキシブルプリント基板により表示部が押圧されるのを回避することができるので、表示デバイスの表示画面にモアレが発生するのを防止することができる。
【図面の簡単な説明】
【００１０】
【図１】本発明の撮像装置の第１の実施形態であるデジタルカメラの外装カバーを取り外した状態を示す図であり、（ａ）は正面側から見た斜視図、（ｂ）は背面側から見た斜視図である。
【図２】図１に示すデジタルカメラの要部断面図である。
【図３】図１に示すデジタルカメラの制御ブロック図である。
【図４】図１に示すデジタルカメラにおいて、フレキシブルプリント基板のＢｔｏＢコネクタをプリント基板のＢｔｏＢコネクタに接続した状態を示す要部断面図である。
【図５】本発明の撮像装置の第２の実施形態であるデジタルカメラの要部断面図である。
【図６】図５に示すデジタルカメラにおいて、フレキシブルプリント基板のＢｔｏＢコネクタをプリント基板のＢｔｏＢコネクタに接続した状態を示す要部断面図である。
【図７】本発明の撮像装置の第３の実施形態であるデジタルカメラの要部断面図である。
【図８】図７に示すデジタルカメラにおいて、フレキシブルプリント基板のＢｔｏＢコネクタをプリント基板のＢｔｏＢコネクタに接続した状態を示す要部断面図である。
【図９】本発明の撮像装置の第４の実施形態であるデジタルカメラの要部断面図である。
【図１０】図９に示すデジタルカメラにおいて、フレキシブルプリント基板のＢｔｏＢコネクタをプリント基板のＢｔｏＢコネクタに接続した状態を示す要部断面図である。
【図１１】従来のデジタルカメラを説明するための要部断面図である。
【図１２】図１１に示す従来のデジタルカメラにおいて、フレキシブルプリント基板のコネクタをプリント基板のコネクタに接続した状態を示す要部断面図である。
【発明を実施するための形態】
【００１１】
以下、本発明の実施形態を図面を参照して説明する。
【００１２】
（第１の実施形態）
図１は本発明の撮像装置の第１の実施形態であるデジタルカメラの外装カバーを取り外した状態を示す図であり、（ａ）は正面側から見た斜視図、（ｂ）は背面側から見た斜視図である。図２は図１に示すデジタルカメラの要部断面図、図３は図１に示すデジタルカメラの制御ブロック図である。
【００１３】
図１〜図３に示すように、本実施形態のデジタルカメラは、正面側にレンズ鏡筒２００が設けられ、レンズ鏡筒２００の背面部には、ＣＣＤセンサ等の撮像素子２０４が設けられている。レンズ鏡筒２００の径方向の一方の側には、電池５０２を出し入れ自在に収納する電池収納部５００がレンズ鏡筒２００に隣接して設けられ、電池収納部５００は、ビス等によりメインシャーシ６００に固定される。
【００１４】
電池収納部５００及び撮像素子２０４の背面側には、液晶表示デバイス３０２が設けられ、また、電池収納部５００の正面側（被写体側）には、プリント基板１００が設けられている。ここで、電池収納部５００は、本発明の内装部材の一例に相当し、また、プリント基板１００は、本発明の配線基板の一例に相当する。
【００１５】
プリント基板１００の正面側には、撮像信号の処理や変換を行う撮像制御部１０６、レンズ鏡筒２００のレンズ群２０３の駆動を制御するレンズ制御部２０２、及びカメラ全体の制御を司るＣＰＵ１０５が実装されている。プリント基板１００のレンズ鏡筒２００側の正面側端部には、ＢｔｏＢコネクタ１０４が実装されている。
【００１６】
また、プリント基板１００には、メモリ１１０が実装されており、メモリ１１０には、ユーザによる設定情報や出荷時の調整値等、デジタルカメラの電源がＯＦＦの間も保持すべきデータが格納されている。ＣＰＵ１０５は、デジタルカメラに設けられた操作部１０８でのユーザ操作に応じて、撮影動作開始の指示を撮像制御部１０６やレンズ制御部２０２に与えたり、撮影と再生のモードの切り換え処理などの各種制御を行う。
【００１７】
プリント基板１００の背面側には、デジタルカメラに対して着脱自在に装着されるメモリカード等の記録媒体の信号を読み書きするカードコネクタ１０２が実装されている。なお、着脱自在な記録媒体に代えて、内蔵メモリであってもよい。
【００１８】
そして、ＣＰＵ１０５は、レンズ制御部２０２によりレンズ鏡筒２００のレンズ群２０３を駆動し、レンズ群２０３を通した被写体光が撮像素子２０４の撮像面に結像する。撮像素子２０４の撮像面に結像した被写体光は、画像信号に光電変換され、フレキシブルプリント基板２０１を介してプリント基板１００の撮像制御部１０６に伝送される。
【００１９】
ＣＰＵ１０５は、撮像制御部１０６によりフレキシブルプリント基板２０１を介して撮像素子２０４を駆動することで光電変換された画像信号を取得し、Ａ／Ｄ変換部１０７でデジタル信号に変換する。また、ＣＰＵ１０５は、Ａ／Ｄ変換された画像信号に対して信号処理を施し、画像データとしてメモリカード１０１に出力する。撮影時あるいは再生時には、ＣＰＵ１０５は、液晶表示デバイス３０２に画像データを出力し、これにより、液晶表示デバイス３０２の表示画面に画像データが表示される。
【００２０】
次に、撮像素子２０４とプリント基板１００とを接続するフレキシブルプリント基板２０１の配置例について説明する。
【００２１】
フレキシブルプリント基板２０１は、撮像素子２０４から液晶表示デバイス３０２とレンズ鏡筒２００との間を通ってレンズ鏡筒２００の径方向に延出する。その後、フレキシブルプリント基板２０１は、屈曲してレンズ鏡筒２００と電池収納部５００との間を通って光軸方向に延出し、再度屈曲して、プリント基板１００の正面側に達する。
【００２２】
フレキシブルプリント基板２０１の延出端には、ＢｔｏＢコネクタ１０３が取り付けられている。図４に示すように、フレキシブルプリント基板２０１のＢｔｏＢコネクタ１０３をプリント基板１００側のＢｔｏＢコネクタ１０４に挿入することにより、撮像素子２０４とプリント基板１００とがフレキシブルプリント基板２０１を介して電気的に接続される。
【００２３】
ここで、本実施形態では、レンズ鏡筒２００の背面側端面と外周面との間に切欠き部８００ａを設けている。すなわち、切欠き部８００ａはレンズ鏡筒２００と電池収納部５００との間あってフレキシブルプリント基板２０１が屈曲する部分の近傍に形成されている。ＢｔｏＢコネクタ１０３をＢｔｏＢコネクタ１０４に挿入する前の状態では、フレキシブルプリント基板２０１は、切欠き部８００ａに接触している。
【００２４】
そして、ＢｔｏＢコネクタ１０３をＢｔｏＢコネクタ１０４に挿入して接続した状態では、図４に示すように、フレキシブルプリント基板２０１は、切欠き部８００ａと電池収納部５００との間に形成される空間８００に逃げて撓み変形する。
【００２５】
また、電池収納部５００には、フレキシブルプリント基板２０１の空間８００内での液晶表示デバイス３０２側への撓み変形を規制して、液晶表示デバイス３０２にフレキシブルプリント基板２０１が接触するのを回避する規制部材８０１が一体に設けられている。
【００２６】
これにより、フレキシブルプリント基板２０１に作用する、ＢｔｏＢコネクタ１０３の挿入ストローク分の余剰長さに起因する引張力、あるいは圧縮力を抑制するとともに、液晶表示デバイス３０２へ押圧力が負荷されるのを防止している。
【００２７】
以上説明したように、本実施形態では、ＢｔｏＢコネクタ１０３をＢｔｏＢコネクタ１０４に挿入して接続した際に、フレキシブルプリント基板２０１により液晶表示デバイス３０２が押圧されるのを回避することができる。これにより、液晶表示デバイス３０２の表示画面にモアレが発生するのを確実に防止することができる。
【００２８】
（第２の実施形態）
次に、図５及び図６を参照して、本発明の撮像装置の第２の実施形態であるデジタルカメラについて説明する。図５は、本発明の撮像装置の第２の実施形態であるデジタルカメラの要部断面図である。図６は、図５に示すデジタルカメラにおいて、フレキシブルプリント基板２０１のＢｔｏＢコネクタ１０３をプリント基板１００のＢｔｏＢコネクタ１０４に接続した状態を示す要部断面図である。なお、上記第１の実施形態に対して重複又は相当する部分については、各図に同一符号を付してその説明を省略する。
【００２９】
本実施形態のデジタルカメラは、図５に示すように、電池収納部１５００のレンズ鏡筒１２００の背面側外周面に対向する部位に、切欠き部８００ｂを設けている。すなわち、切欠き部８００ｂは、レンズ鏡筒１２００と電池収納部１５００との間あってフレキシブルプリント基板２０１が屈曲する部分の近傍に形成されている。フレキシブルプリント基板２０１のＢｔｏＢコネクタ１０３をプリント基板１００のＢｔｏＢコネクタ１０４に挿入する前の状態では、フレキシブルプリント基板２０１は、レンズ鏡筒１２００の外周面に接触している。
【００３０】
そして、図６に示すように、ＢｔｏＢコネクタ１０３をＢｔｏＢコネクタ１０４に挿入して接続した状態では、フレキシブルプリント基板２０１は、レンズ鏡筒１２００と電池収納部１５００の切欠き部８００ｂとの間に形成される空間８００に逃げて撓み変形する。その他の構成及び作用効果は、上記第１の実施形態と同様である。
【００３１】
（第３の実施形態）
次に、図７及び図８を参照して、本発明の撮像装置の第３の実施形態であるデジタルカメラについて説明する。図７は、本発明の撮像装置の第３の実施形態であるデジタルカメラの要部断面図である。図８は、図７に示すデジタルカメラにおいて、フレキシブルプリント基板２０１のＢｔｏＢコネクタ１０３をプリント基板１００のＢｔｏＢコネクタ１０４に接続した状態を示す要部断面図である。なお、上記第１の実施形態に対して重複又は相当する部分については、各図に同一符号を付してその説明を省略する。
【００３２】
本実施形態のデジタルカメラは、図７に示すように、電池収納部１５００のレンズ鏡筒１２００の背面側外周面に対向する部位に、切欠き部８００ｂを設け、また、レンズ鏡筒１２００の外周面のプリント基板１００近傍に、切欠き部８００ｃを設けている。
【００３３】
フレキシブルプリント基板２０１のＢｔｏＢコネクタ１０３をプリント基板１００のＢｔｏＢコネクタ１０４に挿入する前の状態では、フレキシブルプリント基板２０１は、レンズ鏡筒１２００の外周面に沿って光軸方向に配置されている。
【００３４】
そして、図８に示すように、ＢｔｏＢコネクタ１０３をＢｔｏＢコネクタ１０４に挿入して接続した状態では、フレキシブルプリント基板２０１は、レンズ鏡筒１２００と電池収納部１５００の切欠き部８００ｂとの間に形成される空間８００に逃げて撓み変形する。また、これと同時に、フレキシブルプリント基板２０１は、切欠き部８００ｃの空間８０２に逃げて撓み変形する。これにより、ＢｔｏＢコネクタ１０３がＢｔｏＢコネクタ１０４から抜けようとする力、及び規制部材８０１に作用する押圧力を減少させることができる。その他の構成及び作用効果は、上記第１の実施形態と同様である。
【００３５】
（第４の実施形態）
次に、図９及び図１０を参照して、本発明の撮像装置の第４の実施形態であるデジタルカメラについて説明する。図９は、本発明の撮像装置の第４の実施形態であるデジタルカメラの要部断面図である。図１０は、図９に示すデジタルカメラにおいて、フレキシブルプリント基板２０１のＢｔｏＢコネクタ１０３をプリント基板１００のＢｔｏＢコネクタ１０４に接続した状態を示す要部断面図である。なお、上記第１の実施形態に対して重複又は相当する部分については、各図に同一符号を付してその説明を省略する。
【００３６】
本実施形態のデジタルカメラは、図９に示すように、レンズ鏡筒２００の背面側の端面と外周面との間に切欠き部８００ａを設け、また、電池収納部１５００の切欠き部８００ａに対向する部位に、切欠き部８００ｂを設けている。すなわち、切欠き部８００ａおよび切欠き部８００ｂはレンズ鏡筒２００と電池収納部１５００との間あってフレキシブルプリント基板２０１が屈曲する部分の近傍に形成されている。
【００３７】
フレキシブルプリント基板２０１のＢｔｏＢコネクタ１０３をプリント基板１００のＢｔｏＢコネクタ１０４に挿入する前の状態では、フレキシブルプリント基板２０１は、レンズ鏡筒２００の切欠き部８００ａに接触している。
【００３８】
そして、図１０に示すように、ＢｔｏＢコネクタ１０３をＢｔｏＢコネクタ１０４に挿入して接続した状態では、フレキシブルプリント基板２０１は、切欠き部８００ａと切欠き部８００ｂとの間に形成される空間８００に逃げて撓み変形する。その他の構成及び作用効果は、上記第１の実施形態と同様である。
【００３９】
なお、本発明の構成は、上記各実施形態に例示したものに限定されるものではなく、材質、形状、寸法、形態、数、配置箇所等は、本発明の要旨を逸脱しない範囲において適宜変更可能である。
【００４０】
例えば、上記各実施形態では、撮像装置としてデジタルカメラを例示したが、これに限定されず、撮像素子を搭載したレンズ鏡筒を備える携帯情報端末（ＰＤＡ）や携帯電話機等であってもよい。
【符号の説明】
【００４１】
１００  プリント基板
１０３，１０４  ＢｔｏＢコネクタ
２００  レンズ鏡筒
２０１  フレキシブルプリント基板
２０４  撮像素子
３０２  液晶表示デバイス
５００  電池収納部
８００  空間
８００ａ  切欠き部
【図１】
0005661383.tif 000002
【図２】
0005661383.tif 000003
【図３】
0005661383.tif 000004
【図４】
0005661383.tif 000005
【図５】
0005661383.tif 000006
【図６】
0005661383.tif 000007
【図７】
0005661383.tif 000008
【図８】
0005661383.tif 000009
【図９】
0005661383.tif 000010
【図１０】
0005661383.tif 000011
【図１１】
0005661383.tif 000012
【図１２】
0005661383.tif 000013